【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
企業に関するデータを格納するように構成された１つまたは複数のデータ・ストレージ・デバイスと、
ネットワークを介して、ユーザを識別する入力を受信し、
前記ユーザを識別する前記入力に基づき、前記ユーザが、サブスクリプションの期間にわたって前記企業によって提供される少なくともいくつかの品目のそれぞれに関して、複数のサブスクライバ発送オプションを提供するサブスクリプション・ベースの発送プログラムへの現在のサブスクライバであるかどうかを判定し、
前記ネットワークを介して、前記ユーザが注文することを所望する前記少なくともいくつかの品目の少なくとも１つを指定する入力を受信し、
前記ユーザが、前記サブスクリプション・ベースの発送プログラムへの現在のサブスクライバである場合、非サブスクライバ発送オプションの代わりに、前記複数のサブスクライバ発送オプションの１つに従って、前記品目が発送されるように指示する、前記指定された品目の注文を生成する
ように構成された企業ロジックを実現するように構成された１つまたは複数のサーバと、
を備えることを特徴とするシステム。
【請求項２】
前記企業ロジックは、
前記特定の品目のユーザ注文を受け入れるように構成されたユーザ・インタフェースにアクセスする前記ユーザからの入力を受信し、
前記ユーザが、サブスクリプション・ベースの発送プログラムへの現在のサブスクライバである場合、前記品目に関する前記複数のサブスクライバ発送オプションから選択を行うように構成された１つまたは複数の発送プログラム・ユーザ・インタフェース要素を表示し、
前記サブスクライブ済みのユーザから、前記１つまたは複数の発送プログラム・ユーザ・インタフェース要素の１つを選択して、前記品目に関する或る特定のサブスクライバ発送オプションを指定する入力を受信するようにさらに構成されていることを特徴とする請求項１に記載のシステム。
【請求項３】
前記発送プログラム・ユーザ・インタフェース要素は、前記発送プログラムにサブスクライブされたユーザだけに、前記ユーザ・インタフェース上で表示されることを特徴とする請求項２に記載のシステム。
【請求項４】
前記１つまたは複数の発送プログラム・ユーザ・インタフェース要素は、単一アクション・ユーザ・インタフェース要素であり、
前記ネットワークを介して、前記ユーザが注文することを所望する前記少なくともいくつかの品目の少なくとも１つを指定する入力を受信するのに、前記企業ロジックは、前記サブスクライブ済みのユーザから、前記１つまたは複数の発送プログラム・ユーザ・インタフェース要素の１つを選択する入力を受信ようにさらに構成され、
前記指定された品目の注文を生成するのに、前記企業ロジックは、前記サブスクライブ済みのユーザから、前記１つまたは複数の発送プログラム・ユーザ・インタフェース要素の１つを選択する入力を前記受信することに応答して、前記注文を自動的に生成するように構成され、前記ユーザからのさらなる入力は、前記注文を生成するのに全く要求されないことを特徴とする請求項２または請求項３に記載のシステム。
【請求項５】
前記ネットワークを介して、前記ユーザが注文することを所望する前記品目の１つを指定する入力を受信するのに、前記企業ロジックは、前記企業のＷｅｂサービス・インタフェース上で、前記サブスクライブ済みのユーザのために前記品目の注文を要求するメッセージを受信するようにさらに構成されていることを特徴とする請求項１乃至４のいずれかに記載のシステム。
【請求項６】
前記複数のサブスクライバ発送オプションは、前記少なくともいくつかの品目に関する発送に関して、サブスクライブ済みのユーザに料金請求が行われない少なくとも１つの発送オプションを含むことを特徴とする請求項１乃至５のいずれかに記載のシステム。
【請求項７】
前記複数のサブスクライバ発送オプションは、前記少なくともいくつかの品目に関して、サブスクライブ済みでないユーザより低い発送手数料が、サブスクライブ済みのユーザに請求される少なくとも１つの発送オプションを含むことを特徴とする請求項１乃至６のいずれかに記載のシステム。
【請求項８】
前記複数のサブスクライバ発送オプションは、非サブスクライバに提供されない１つまたは複数のフィーチャに関するオプションであることを特徴とする請求項１乃至７のいずれかに記載のシステム。
【請求項９】
前記企業ロジックは、
他のユーザらと、前記発送プログラムへのサブスクリプションを共有する入力を受信するように構成された１つまたは複数のサブスクリプション共有ユーザ・インタフェース要素を、前記サブスクライブ済みのユーザに表示し、
前記１つまたは複数のサブスクリプション共有ユーザ・インタフェース要素にアクセスする前記サブスクライブ済みのユーザから、前記サブスクライブ済みのユーザによって指定されたユーザと前記発送プログラムへの前記サブスクリプションを共有する入力を受信するようにさらに構成されていることを特徴とする請求項１乃至８のいずれかに記載のシステム。
【請求項１０】
前記企業ロジックは、前記１つまたは複数のサブスクライバ発送オプションの１つに従って前記サブスクライブ済みのユーザによって注文された各品目が、前記品目が発送される用意ができるとすぐに、発送されるように指示するようにさらに構成されていることを特徴とする請求項１乃至９のいずれかに記載のシステム。
【請求項１１】
前記企業ロジックは、前記１つまたは複数のサブスクライバ発送オプションの１つに従って前記サブスクライブ済みのユーザによって注文された２つ以上の品目が、統合されて、１回の発送で発送されるように指示するようにさらに構成されていることを特徴とする請求項１乃至1０のいずれかに記載のシステム。
【請求項１２】
前記企業ロジックは、前記１つまたは複数のサブスクライバ発送オプションの１つに従って前記サブスクライブ済みのユーザによって注文した品目が、定期的間隔または非定期的間隔で、スケジュールされた発送時に発送されるように指示するようにさらに構成されていることを特徴とする請求項１乃至１１のいずれかに記載のシステム。
【請求項１３】
ｅコマース・サイトのためのサーバが、ネットワークを介して、ユーザを識別する入力を受信するステップと、
前記ユーザを識別する前記入力に基づき、前記ユーザが、サブスクリプションの期間にわたって前記ｅコマース・サイト上で提供される少なくともいくつかの品目のそれぞれに関して、複数のサブスクライバ発送オプションを提供するサブスクリプション・ベースの発送プログラムへの現在のサブスクライバであるかどうかを判定するステップと、
前記ネットワークを介して、前記ユーザが注文することを所望する前記少なくともいくつかの品目の少なくとも１つを指定する入力を受信するステップと、
前記ユーザが、前記サブスクリプション・ベースの発送プログラムへの現在のサブスクライバである場合、非サブスクライバ発送オプションの代わりに、前記複数のサブスクライバ発送オプションの１つに従って、前記品目が発送されるように指示する、前記指定された品目の注文を生成するステップと、
を有することを特徴とする方法。
【請求項１４】
前記特定の品目のユーザ注文を受け入れるように構成されたユーザ・インタフェースにアクセスする前記ユーザからの入力を受信するステップと、
前記ユーザが、サブスクリプション・ベースの発送プログラムへの現在のサブスクライバである場合、前記品目に関する前記複数のサブスクライバ発送オプションから選択を行うように構成された１つまたは複数の発送プログラム・ユーザ・インタフェース要素を表示するステップと、
前記サブスクライブ済みのユーザから、前記１つまたは複数の発送プログラム・ユーザ・インタフェース要素の１つを選択して、前記品目に関する或る特定のサブスクライバ発送オプションを指定する入力を受信するステップと、
をさらに有することを特徴とする請求項１３に記載の方法。
【請求項１５】
前記発送プログラム・ユーザ・インタフェース要素は、前記発送プログラムにサブスクライブされたユーザだけに、前記ユーザ・インタフェース上で表示されることを特徴とする請求項１４に記載の方法。
【請求項１６】
前記１つまたは複数の発送プログラム・ユーザ・インタフェース要素は、単一アクション・ユーザ・インタフェース要素であり、
前記ネットワークを介して、前記ユーザが注文することを所望する前記少なくともいくつかの品目の少なくとも１つを指定する入力を前記受信するステップは、前記サブスクライブ済みのユーザから、前記１つまたは複数の発送プログラム・ユーザ・インタフェース要素の１つを選択する入力を前記受信するステップを含み、
前記指定された品目の注文を前記生成するステップは、前記サブスクライブ済みのユーザから、前記１つまたは複数の発送プログラム・ユーザ・インタフェース要素の１つを選択する入力を前記受信することに応答して、前記注文を自動的に生成するステップを含み、前記ユーザからのさらなる入力は、前記注文を生成するのに全く要求されないことを特徴とする請求項１４または請求項１５に記載の方法。
【請求項１７】
前記ネットワークを介して、前記ｅコマース・サイトの１つまたは複数のサブスクリプション・ユーザ・インタフェース要素にアクセスする前記ユーザから入力を受信することに応答して、前記ユーザを前記サブスクリプション・ベースの発送プログラムにサブスクライブするステップをさらに有することを特徴とする請求項１３乃至１６のいずれかに記載の方法。
【請求項１８】
前記ネットワークを介して、前記ユーザから、前記ｅコマース・サイトの単一アクション・ユーザ・インタフェース要素を選択する単一の入力を受信することに応答して、前記ユーザを前記サブスクリプション・ベースの発送プログラムに自動的にサブスクライブするステップをさらに有することを特徴とする請求項１３乃至１７のいずれかに記載の方法。
【請求項１９】
前記ｅコマース・サイトのＷｅｂサービス・インタフェースを介して前記ユーザを指定するサブスクリプション要求を受信することに応答して、前記ユーザを前記サブスクリプション・ベースの発送プログラムにサブスクライブするステップをさらに有することを特徴とする請求項１３乃至１８のいずれかに記載の方法。
【請求項２０】
前記ｅコマース・サイトによって前記ユーザに送信される、前記発送プログラムへのサブスクリプションを共有する招待への応答を受信することに応答して、前記ユーザを前記サブスクリプション・ベースの発送プログラムにサブスクライブするステップをさらに有することを特徴とする請求項１３乃至１９のいずれかに記載の方法。
【請求項２１】
前記ユーザを前記発送プログラムにサブスクライブすると、前記ユーザにサブスクリプション料金を請求するステップをさらに有することを特徴とする請求項１３乃至２０のいずれかに記載の方法。
【請求項２２】
前記複数のサブスクライバ発送オプションは、前記少なくともいくつかの品目に関する発送に関して、サブスクライブ済みのユーザに料金請求が行われない少なくとも１つの発送オプションを含むことを特徴とする請求項１３乃至２１のいずれかに記載の方法。
【請求項２３】
前記複数のサブスクライバ発送オプションは、前記少なくともいくつかの品目に関して、サブスクライブ済みでないユーザより低い発送手数料が、サブスクライブ済みのユーザに請求される少なくとも１つの発送オプションを含むことを特徴とする請求項１３乃至２２のいずれかに記載の方法。
【請求項２４】
前記発送プログラムへのサブスクリプションを、前記ｅコマース・サイトの他のユーザらと共有する入力を受信するように構成された１つまたは複数のサブスクリプション共有ユーザ・インタフェース要素を、前記サブスクライブ済みのユーザに表示するステップと、
前記１つまたは複数のサブスクリプション共有ユーザ・インタフェース要素にアクセスする前記サブスクライブ済みのユーザから、前記サブスクライブ済みのユーザによって指定された前記ｅコマース・サイトのユーザと前記発送プログラムへの前記サブスクリプションを共有する入力を受信するステップと、
をさらに有することを特徴とする請求項１３乃至２３のいずれかに記載の方法。
【請求項２５】
前記サブスクリプション共有は、前記サブスクライブ済みのユーザが属する定義されたコミュニティに限定されることを特徴とする請求項２４に記載の方法。
【請求項２６】
前記定義されたコミュニティは、前記サブスクライブ済みのユーザの世帯、ビジネス、集合住宅、または学校の１つであることを特徴とする請求項２５に記載の方法。
【請求項２７】
前記サブスクリプション・ベースの発送プログラムは、２つ以上のサブスクリプション・レベルを含み、異なるレベルにおけるサブスクライブ済みのユーザには、前記２つ以上のサブスクリプション・レベルにおける異なるサブスクリプション料金の１つまたは複数の異なる発送オプションが提供されることを特徴とする請求項１３乃至２６のいずれかに記載の方法。
【請求項２８】
前記１つまたは複数のサブスクライバ発送オプションの１つに従って前記サブスクライブ済みのユーザによって注文された各品目が、前記品目が、発送される用意ができるとすぐに発送されるように指示するステップをさらに有することを特徴とする請求項１３乃至２７のいずれかに記載の方法。
【請求項２９】
前記１つまたは複数のサブスクライバ発送オプションの１つに従って前記サブスクライブ済みのユーザによって注文された２つ以上の品目が、統合されて、１回の発送で発送されるように指示するステップをさらに有することを特徴とする請求項１３乃至２８のいずれかに記載の方法。
【請求項３０】
前記１つまたは複数のサブスクライバ発送オプションの１つに従って前記サブスクライブ済みのユーザによって注文した品目が、定期的間隔または非定期的間隔で、スケジュールされた発送時に発送されるように指示するステップをさらに有することを特徴とする請求項１３乃至２９のいずれかに記載の方法。
【請求項３１】
前記発送プログラムのサブスクライブ済みのユーザに、前記ｅコマース・サイトのサブスクライブ済みでないユーザには提供されない１つまたは複数のサービス・サイトへの排他的アクセスを提供するステップをさらに有することを特徴とする請求項１３乃至３０のいずれかに記載の方法。
【請求項３２】
前記１つまたは複数のサービスは、優先取り扱い、購入された品目を手数料無しでの返品、無料のギフト用の包装、無料の彫刻、または前記品目のデジタル・コピーへのアクセスの少なくとも１つを含むことを特徴とする請求項３１に記載の方法。
【請求項３３】
前記ｅコマース・サイト上で提供される前記少なくともいくつかの品目は、サブスクライブ済みでないユーザに提供されるのと同一の価格で、前記発送プログラムにサブスクライブされたユーザに提供されることを特徴とする請求項１３乃至３２のいずれかに記載の方法。
【請求項３４】
前記複数のサブスクライバ発送オプションの１つによって発送される品目に関して前記サブスクライブ済みのユーザにかかる発送手数料は、サブスクライブ済みでないユーザに提供されるのと同一の配送条件を有する、それぞれの発送オプションに関する発送手数料より低いことを特徴とする請求項３３に記載の方法。
【請求項３５】
ネットワークを介して、ユーザを識別する入力を受信するステップと、
前記ユーザを識別する前記入力に基づき、前記ユーザが、サブスクリプションの期間にわたってｅコマース・サイト上で提供される少なくともいくつかの品目のそれぞれに関して、複数のサブスクライバ発送オプションを提供するサブスクリプション・ベースの発送プログラムへの現在のサブスクライバであるかどうかを判定するステップと、
前記ネットワークを介して、前記ユーザが注文することを所望する前記少なくともいくつかの品目の少なくとも１つを指定する入力を受信するステップと、
前記ユーザが、前記サブスクリプション・ベースの発送プログラムへの現在のサブスクライバである場合、非サブスクライバ発送オプションの代わりに、前記複数のサブスクライバ発送オプションの１つに従って、前記品目が発送されるように指示する、前記指定された品目の注文を生成するステップと、
を実現するようにコンピュータ実行可能であるプログラム命令を含むことを特徴とするコンピュータ・アクセス可能媒体。